(57)【特許請求の範囲】
【請求項１】
操作レバーの傾倒動作に応じた信号を出力する多方向スイッチと、この多方向スイッチの外側に配置された操作リングの回転動作に応じた信号を出力する回転型電気部品とを具備し、
前記操作リングには径方向に切り欠いて切欠きを形成してあると共に、内部に保持体を収納し、
前記保持体には突部が形成され、該突部が前記切欠きに嵌め込まれて前記操作リングに保持されると共に、前記操作レバーを挿通する貫通孔を有し、
第１の導電板は前記保持体に保持され、一部が前記操作リングの前記切欠きを通して前記操作リングの外側に延びた延出部分に下向きの摺動子が形成され、
第２の導電板は前記保持体に保持され、一部が前記操作リングの前記切欠きを通して前記操作リングの外側に延びた延出部分に上向きの摺動子が形成され、
一対の給電板は前記操作リングの外側に配置され、
前記操作レバーはつまみを有し、
前記保持体に一体化された前記第１の導電板と前記第２の導電板とを、前記切欠きに通して保持して前記操作リングに固定すると共に、前記操作リングの内側にある前記第１および第２の導電板間に前記操作レバーのつまみを照光するＬＥＤを接続し、かつ、前記操作リングの外側にある前記両摺動子を前記一対の給電板で挟持したことを特徴とする複合操作型電気部品。
【請求項２】
請求項１の記載において、前記上向き摺動子と前記下向き摺動子間でかつ前記操作リングの内側に、前記第１の導電板、前記第２の導電板、一つ又は複数の第３の導電板、及び前記隣接する各導電板間に配設されたＬＥＤを周方向に並置して全体としてリング状とし、直列に接続した状態で前記保持体に保持したことを特徴とする複合操作型電気部品。
【発明の詳細な説明】
【０００１】
【発明の属する技術分野】
本発明は、多方向スイッチの外側にロータリスイッチやロータリボリューム等の回転型電気部品を組み込んだ複合操作型電気部品に係り、特に、その照光構造に関する。
【０００２】
【従来の技術】
従来より、実開昭５７−８００２９号公報に開示されているように、内側に配置された４個の押釦スイッチと外側に配置されたロータリスイッチとを一体的に組み込んだ複合操作型電気部品が知られている。この複合操作型電気部品は、各押釦スイッチの中央に配置された光源によって押釦スイッチのつまみが照光されるようになっており、各押釦スイッチのプッシュ動作に応じた４方向の位置検出と、ロータリスイッチの回転動作に応じた連続的な信号検出を行なうことができる。
【０００３】
【発明が解決しようとする課題】
ところで、前述した従来の複合操作型電気部品では、内側の電気部品として互いに独立した４個の押釦スイッチを用いているため、押釦スイッチの操作性が悪く、全体形状が大型化する等の難点がある。そこで、内側の電気部品として多方向スイッチを用い、この多方向スイッチの外側に回転型電気部品を組み込んだ複合操作型電気部品が考えられる。このような複合操作型電気部品によれば、多方向スイッチに備えられる操作レバーの傾倒動作に応じて数種類の切り換え信号を出力することができるのみならず、操作レバーのプッシュ動作に応じて別の切り換え信号を出力することができ、操作性の向上や小型化を図ることができる。
【０００４】
しかしながら、周知のように、多方向スイッチはその中央に傾倒自在な操作レバーを具備しているため、操作レバーの上端に取り付けられたつまみを照光する場合、多方向スイッチの中央に光源を配置することができず、仮につまみの真下に光源を配置するスペースを確保したとしても、光源の外側に回転型電気部品の操作リングを回転自在に配置しなければならないため、光源に電源を供給することが困難になるという問題が発生する。
【０００５】
【課題を解決するための手段】
本発明は、回転型電気部品の操作リングにＬＥＤを接続した第１および第２の導電板を固定し、これら導電板に設けられた互いに逆向きの摺動子を一対の給電板で挟持することとする。このように構成すると、操作リングと一体的に回転するＬＥＤに給電板から摺動子と導電板を介して電源が供給されるため、多方向スイッチの操作レバーに取り付けられたつまみ等を照光することができる。
【０００６】
【発明の実施の形態】
本発明の複合操作型電気部品では、操作レバーの傾倒動作に応じた信号を出力する多方向スイッチと、この多方向スイッチの外側に配置された操作リングの回転動作に応じた信号を出力する回転型電気部品とを具備し、前記操作リングには径方向に切り欠いて切欠きを形成してあると共に、内部に保持体を収納し、前記保持体には突部が形成され、該突部が前記切欠きに嵌め込まれて前記操作リングに保持されると共に、前記操作レバーを挿通する貫通孔を有し、第１の導電板は前記保持体に保持され、一部が前記操作リングの前記切欠きを通して前記操作リングの外側に延びた延出部分に下向きの摺動子が形成され、第２の導電板は前記保持体に保持され、一部が前記操作リングの前記切欠きを通して前記操作リングの外側に延びた延出部分に上向きの摺動子が形成され、一対の給電板は前記操作リングの外側に配置され、前記操作レバーはつまみを有し、前記保持体に一体化された前記第１の導電板と前記第２の導電板とを、前記切欠きに通して保持して前記操作リングに固定すると共に、前記操作リングの内側にある前記第１および第２の導電板間に前記操作レバーのつまみを照光するＬＥＤを接続し、かつ、前記操作リングの外側にある前記両摺動子を前記一対の給電板で挟持した。
【０００７】
前記回転型電気部品としてロータリスイッチやロータリボリューム等の操作リングが回転する電気部品を用いることができ、また、操作リングは３６０度以内の有限回転でも３６０度以上の無限回転でも良い。
【０００８】
また、前記操作リングの一部に前記第１および第２の導電板が挿通する切欠きを形成すると、操作リングに対して両導電板を簡単に一体化することができるばかりでなく、ＬＥＤと給電板を操作リングの内外に振り分けて小型化を図ることができる。
【０００９】
【実施例】
実施例について図面を参照して説明すると、図１は複合操作型電気部品の断面図、図２は複合操作型電気部品の要部を示す平面図である。
【００１０】
実施例に係る複合操作型電気部品は内側の多方向スイッチと外側のロータリボリュームとで構成されており、これら多方向スイッチとロータリボリュームは後述するように一体化されている。
【００１１】
内側の多方向スイッチは、上面を開口する合成樹脂製の内側ハウジング１と、内側ハウジング１の開口端に被着された合成樹脂製の蓋体２と、内側ハウジング１の内部から蓋体２を通って上方へ突出する金属製の操作レバー３とを具備しており、操作レバー３の上端に内側つまみ４が取り付けられている。内側ハウジング１の内底面に第１の固定接点５とコモン接点６が配設され、コモン接点６上に第１の固定接点５と接離する第１の可動接点板７が載置されており、これら第１の固定接点５と第１の可動接点板７とで１つの常開スイッチＳ１が構成されている。第１の可動接点板７と操作レバー３の下端との間に押圧片８と緩衝ゴム９が介設されている。操作レバー３の外側に合成樹脂製の駆動体１０が嵌合されており、これら操作レバー３と駆動体１０はスプライン結合されて軸線方向のみ相対移動できるようになっている。駆動体１０に第２の可動接点板１１が固定されており、第２の可動接点板１１は導電性のコイルばね１２の付勢力によって蓋体２の下面に圧接されている。蓋体２の下面に複数、例えば８つの第２の固定接点１３が周方向に所定間隔を保って配設されており、これら第２の固定接点１３群と第２の可動接点板１１とで８つの常閉スイッチＳ２が構成され、各常閉スイッチＳ２と常開スイッチＳ１はコイルばね１２を介して導通されている。
【００１２】
このように構成された多方向スイッチにおいて、内側つまみ４によって操作レバー３を図１の中立位置から任意方向へ傾倒すると、第２の可動接点板１１が傾倒方向の反対側に位置する１つの第２の固定接点１３を支点として回動し、８個の常閉スイッチＳ２のうち１つだけオンしたまま残りが全てオフになる。さらに操作レバー３を同方向へ傾倒すると、操作レバー３の下端が緩衝ゴム９と押圧片８を介して第１の可動接点板７を押圧し、第１の可動接点板７が第１の固定接点５に接触した時点で常開スイッチＳ１がオンになる。その結果、常開スイッチＳ１と１つの常閉スイッチＳ２との間に導通路が形成されるため、例えば、第１の固定接点５と各第２の固定接点１３間の出力信号をマイコンに取り込めば、どの第２の固定接点１３からオン信号が出力されるかによって操作レバー３の傾倒方向を判定できる。一方、操作レバー３を図１の中立位置で押し込むと、駆動体１０と第２の可動接点板１１は移動せず、操作レバー３のみが真下に移動して緩衝ゴム９と押圧片８を介して第１の可動接点板７を押圧する。そして、第１の可動接点板７が第１の固定接点５に接触した時点で、常開スイッチＳ１と全ての常閉スイッチＳ２との間に導通路が形成されるため、各第２の固定接点１３からの８つのオン信号に基づいてマイコンが操作レバー３のプッシュ動作を検出できる。
【００１３】
外側のロータリボリュームは、合成樹脂製の外側ハウジング１４と、外側ハウジング１４の外周縁に一体化された円筒状のカバー１５とを具備しており、外側ハウジング１４は多方向スイッチの内側ハウジング１の外側面に圧入等により固定されている。外側ハウジング１４とカバー１５とで切欠きを有するリング状の凹溝が画成され、この凹溝の内底面に前記切欠きから端子が設けられた一端を突出させた抵抗基板１６が載置されており、抵抗基板１６の上面に抵抗体１７が形成されている。外側ハウジング１４に合成樹脂製の操作リング１８が回転可能に保持されており、操作リング１８の回転角度はストッパ１８ａによって例えば約３００度に規制されている。操作リング１８の下面に摺動子２０が取り付けられており、摺動子２０は抵抗基板１６の抵抗体１７に弾接している。
【００１４】
操作リング１８の上端に外側つまみ２１が取り付けられており、外側つまみ２１の凹部内に多方向スイッチの内側つまみ４が位置している。操作リング１８の内側に合成樹脂製の保持体２２が配置されており、操作リング１８の上端に形成された一対のすり割状切欠き１８ｂに保持体２２の周縁に形成された一対の突部２２ａを圧入することにより、保持体２２は操作リング１８に固定されている。図２に示すように、保持体２２の中央に貫通孔２２ｂが形成されており、多方向スイッチの操作レバー３は貫通孔２２ｂを挿通して上方へ延びている。保持体２２に第１ないし第３の導電板２３〜２５がアウトサートにより固定されており、これら導電板２３〜２５は貫通孔２２ｂの外側に環状に配置されている。第１の導電板２３と第２の導電板２４は一方の切欠き１８ｂを通って操作リング１８の外側へ延びており、この延出部分において第１の導電板２３には下向きの摺動子２３ａが、第２の導電板２４には上向きの摺動子２４ａが形成されている。第１の導電板２３と第３の導電板２５との間、および第２の導電板２４と第３の導電板２５との間にそれぞれＬＥＤ２６が搭載されており、これらＬＥＤ２６は第３の導電板２５を介して直列に接続されている。
【００１５】
外側ハウジング１４とカバー１５の上端に合成樹脂製の第１の環状体２７が載置されており、第１の環状体２７の上面にリング状の第１の給電板２８がアウトサートにより固定されている。第１の給電板２８の一部はカバー１５の外側に沿って外側ハウジング１４の下面に折り曲げられており、これにより第１の環状体２７は外側ハウジング１４に固定されている。第１の環状体２７の下面にクリックばね１９が取り付けられ、操作リング１８の上面に図示せぬカム山が形成されており、クリックばね１９がカム山と係脱することによりクリック感触が生起される。第１の環状体２７の上面に合成樹脂製の第２の環状体２９が載置されており、第２の環状体２９の下面にリング状の第２の給電板３０がアウトサートにより固定されている。第２の給電板３０の一部もカバー１５の外側に沿って外側ハウジング１４の下面に折り曲げられており、これにより第２の環状体２９は外側ハウジング１４に固定されている。第１の給電板２８と第２の給電板３０は所定間隔を保って対向しており、この間隔の内部で第１の導電板２３の摺動子２３ａは第１の給電板２８の上面に弾接し、第２の導電板２４の摺動子２４ａは第２の給電板３０の下面に弾接している。
【００１６】
このように構成されたロータリボリュームにおいて、外側つまみ２１によって操作リング１８を正逆いずれかの方向へ回転すると、クリックばね１９とカム山との係脱によりクリック感触が生起されると共に、摺動子２０が抵抗体１７上を摺動して、操作リング１８の回転量に応じた抵抗値変化が出力される。また、操作リング１８の回転に連動して第１の導電板２３の摺動子２３ａが第１の給電板２８の上面を摺動し、第２の導電板２４の摺動子２４ａが第２の給電板３０の下面を摺動し、第１の給電板２８と第２の給電板３０との間に第１の導電板２３、一方のＬＥＤ２６、第３の導電板２５、他方のＬＥＤ２６、第２の導電板２４という導電路が確保されるため、第１の給電板２８と第２の給電板３０との間に電流を流すと両ＬＥＤ２６が点灯する。したがって、内側つまみ４をアクリル樹脂等の透明材料で形成すれば、ＬＥＤ２６からの光によって内側つまみ４を照光させることができる。また、外側つまみ２１をアクリル樹脂等の透明材料で形成すれば、外側つまみ２１を照光させることができ、この場合には、ＬＥＤ２６が外側つまみ２１と共に回転するため、ＬＥＤ２６を配置した上方に表示部を設け、これを照光する場合に適している。
【００１７】
なお、内側の多方向スイッチの構造は上記実施例に限定されず、操作レバーの傾倒動作に応じて位置信号を出力するものであれば良い。また、外側の回転型電気部品も上記実施例のロータリボリュームに限定されず、操作リングがエンドレスで回転するロータリエンコーダに置換することも可能であり、その場合、第１および第２の給電板２８，３０はリング状であるから、摺動子２３ａ，２４ａが常時これと摺接することになる。
【００１８】
また、上記実施例では、２個のＬＥＤ２６を点灯させるために第１ないし第３の導電板２３〜２５を用いているが、ＬＥＤ２６の数は２個に特定されるものでなく、例えば１個のＬＥＤ２６を点灯させる場合は、第１の導電板２３と第２の導電板２４との間にＬＥＤ２６を接続すれば良く、３個以上のＬＥＤ２６を点灯させる場合は、第３の導電板２５の数を増やせば良い。
【００１９】
【発明の効果】
本発明は、以上説明したような形態で実施され、以下に記載されるような効果を奏する。
【００２０】
操作レバーの傾倒動作に応じた信号を出力する多方向スイッチと、この多方向スイッチの外側に配置された操作リングの回転動作に応じた信号を出力する回転型電気部品とを具備し、操作リングには径方向に切り欠いて切欠きを形成してあると共に、内部に保持体を収納し、保持体には突部が形成され、該突部が切欠きに嵌め込まれて操作リングに保持されると共に、操作レバーを挿通する貫通孔を有し、第１の導電板は保持体に保持され、一部が操作リングの切欠きを通して操作リングの外側に延びた延出部分に下向きの摺動子が形成され、第２の導電板は保持体に保持され、一部が操作リングの切欠きを通して操作リングの外側に延びた延出部分に上向きの摺動子が形成され、一対の給電板は操作リングの外側に配置され、操作レバーはつまみを有し、保持体に一体化された第１の導電板と第２の導電板とを、切欠きに通して保持して操作リングに固定すると共に、操作リングの内側にある第１および第２の導電板間に操作レバーのつまみを照光するＬＥＤを接続し、かつ、操作リングの外側にある両摺動子を一対の給電板で挟持したため、操作リングの内側で操作リングと一体的に回転するＬＥＤに、操作リングの外側で給電板から摺動子と導電板を介して電源が供給されるので、多方向スイッチの操作レバーのつまみを照光することができ、かつ操作リングに対して両導電板を簡単に一体化することができるばかりでなく、ＬＥＤと給電板を操作リングの内外に振り分けて小型化を図ることができる。
【００２１】
また、複数のＬＥＤを接続したため、操作レバーのつまみを均一に照光できる。
【図面の簡単な説明】
【図１】実施例に係る複合操作型電気部品の断面図である。
【図２】該複合操作型電気部品の要部を示す平面図である。
【符号の説明】
１  内側ハウジング
３  操作レバー
４  内側つまみ４
１４  外側ハウジング
１８  操作リング
１８ｂ  切欠き
２１  外側つまみ
２２  保持体
２２ａ  突部
２２ｂ  貫通孔
２３  第１の導電板
２３ａ  摺動子
２４  第２の導電板
２４ａ  摺動子
２５  第３の導電板
２７  第１の環状体
２８  第１の給電板
２９  第２の環状体
３０  第２の給電板
【図１】
0003727757.tif 000002
【図２】
0003727757.tif 000003